【手続補正書】
【提出日】令和3年11月30日(2021.11.30)
【手続補正１】
【補正対象書類名】特許請求の範囲
【補正対象項目名】全文
【補正方法】変更
【補正の内容】
【特許請求の範囲】
【請求項１】
負荷計画と、気象条件の予測情報とに基づいて、冷却水の冷却装置の動力を異ならせた場合の燃料価格を特定する燃料価格特定部と、
前記負荷計画に応じた発電電力の売価と、前記燃料価格とに基づいて、現在の運転を継続した場合の前記発電電力によって得られる収支よりも多くなる収支を少なくとも特定する収支特定部と、
を備える演算装置。
【請求項２】
前記燃料価格特定部は、
前記燃料価格が時間経過に伴って変動する場合には、前記燃料価格の将来の変動予測値を用いて、前記冷却水の冷却装置の動力を異ならせた場合の前記燃料価格を特定し、
前記収支特定部は、
前記発電電力の売価が時間経過に伴って変動する場合には、前記発電電力の売価の将来の変動予測値を用いて、現在の運転を継続した場合の前記発電電力によって得られる収支よりも多くなる収支を少なくとも特定する、
請求項１に記載の演算装置。
【請求項３】
前記収支特定部は、
特定した現在の運転を継続した場合の前記発電電力によって得られる収支よりも多くなる収支に対応する少なくとも前記動力を含む条件を特定する、
請求項１または請求項２に記載の演算装置。
【請求項４】
２つの収支を比較する比較部を備え、
前記燃料価格特定部は、
前記冷却装置の現在の動力に対して前記燃料価格を特定し、
前記収支特定部は、
前記現在の動力に対する収支及び現在の運転を継続した場合の前記発電電力によって得られる収支よりも多くなる収支を特定し、
前記比較部は、
前記現在の動力に対する収支と現在の運転を継続した場合の前記発電電力によって得られる収支よりも多くなる収支とを比較することにより、前記現在の動力に対する収支と現在の運転を継続した場合の前記発電電力によって得られる収支よりも多くなる収支との差分を特定する、
請求項１から請求項３の何れか一項に記載の演算装置。
【請求項５】
前記比較部は、
時間経過に伴って前記特定した差分を積み上げる、
請求項４に記載の演算装置。
【請求項６】
前記収支を出力する情報伝達部、
を備える請求項１から請求項５の何れか一項に記載の演算装置。
【請求項７】
前記燃料価格特定部は、
前記発電電力が発電され蓄電されたタイミングと、蓄電された前記発電電力が売電されるタイミングとが異なる場合には、蓄電されるタイミングに応じた燃料価格と売電されるタイミングに応じた燃料価格との差異に基づいて、前記冷却水の冷却装置の動力を異ならせた場合の前記燃料価格を特定し、
前記収支特定部は、
前記発電電力が発電され蓄電されたタイミングと、蓄電された前記発電電力が売電されるタイミングとが異なる場合には、蓄電されるタイミングに応じた発電電力の売価と売電されるタイミングに応じた発電電力の売価との差異に基づいて、現在の運転を継続した場合の前記発電電力によって得られる収支よりも多くなる収支を少なくとも特定する、
請求項１から請求項６の何れか一項に記載の演算装置。
【請求項８】
請求項１から請求項７の何れか一項に記載の演算装置と、
前記発電電力に係る情報を報知させる報知装置と、
を備えるシステム。
【請求項９】
前記発電電力に係る情報は、
現状稼働台数と推奨稼働台数、前記現状稼働台数の場合の送電端効率と前記現状稼働台数を変更した場合の送電端効率の増減予測、及び、前記現状稼働台数の場合の冷却塔動力と前記現状稼働台数を変更した場合の冷却塔動力の増減予測のうち少なくとも１つを含む、
請求項８に記載のシステム。
【請求項１０】
前記発電電力に係る情報は、
時間経過に伴う収支の積み上げ予測を含む、
請求項８または請求項９に記載のシステム。
【請求項１１】
前記発電電力に係る情報は、
所定のタイムスタンプごとの運転負荷、所定のタイムスタンプごとのバイオ混焼率、所定のタイムスタンプごとの大気条件、所定のタイムスタンプごとのネット効率、所定のタイムスタンプごとの売電価格、及び、所定のタイムスタンプごとの収支のうち少なくとも１つを含む、
請求項８から請求項１０の何れか一項に記載のシステム。
【請求項１２】
負荷計画または大気条件に応じた発電電力に係る情報であって、現状稼働台数の場合の送電端効率と前記現状稼働台数の場合の冷却塔動力と前記現状稼働台数を変更した場合の送電端効率の増減予測と前記現状稼働台数を変更した場合の冷却塔動力の増減予測を含む発電電力に係る情報を表示させる、
報知装置。
【請求項１３】
負荷計画または大気条件に応じた発電電力に係る情報であって、所定のタイムスタンプごとの運転負荷、所定のタイムスタンプごとのバイオ混焼率、所定のタイムスタンプごとの大気条件、所定のタイムスタンプごとのネット効率、及び、所定のタイムスタンプごとの売電価格のうち少なくとも１つを含む発電電力に係る情報を表示させる、
報知装置。
【請求項１４】
前記発電電力に係る情報は、
時間経過に伴う収支の積み上げ予測を含む、
請求項１２または請求項１３に記載の報知装置。
【請求項１５】
負荷計画と、気象条件の予測情報とに基づいて、冷却水の冷却装置の動力を異ならせた場合の燃料価格を特定することと、
前記負荷計画に応じた発電電力の売価と、前記燃料価格とに基づいて、現在の運転を継続した場合の前記発電電力によって得られる収支よりも多くなる収支を少なくとも特定することと、
を含む演算方法。
【請求項１６】
コンピュータに、
負荷計画と、気象条件の予測情報とに基づいて、冷却水の冷却装置の動力を異ならせた場合の燃料価格を特定することと、
前記負荷計画に応じた発電電力の売価と、前記燃料価格とに基づいて、現在の運転を継続した場合の前記発電電力によって得られる収支よりも多くなる収支を少なくとも特定することと、
を実行させるプログラム。
【手続補正２】
【補正対象書類名】明細書
【補正対象項目名】００１７
【補正方法】変更
【補正の内容】
【００１７】
本発明の第１２の態様によれば、報知装置は、負荷計画または大気条件に応じた発電電力に係る情報であって、現状稼働台数の場合の送電端効率と前記現状稼働台数の場合の冷却塔動力と前記現状稼働台数を変更した場合の送電端効率の増減予測と前記現状稼働台数を変更した場合の冷却塔動力の増減予測を含む発電電力に係る情報を表示させる。
【手続補正３】
【補正対象書類名】明細書
【補正対象項目名】００１８
【補正方法】変更
【補正の内容】
【００１８】
本発明の第１３の態様によれば、報知装置は、負荷計画または大気条件に応じた発電電力に係る情報であって、所定のタイムスタンプごとの運転負荷、所定のタイムスタンプごとのバイオ混焼率、所定のタイムスタンプごとの大気条件、所定のタイムスタンプごとのネット効率、及び、所定のタイムスタンプごとの売電価格のうち少なくとも１つを含む発電電力に係る情報を表示させる。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
本発明の第１５の態様によれば、演算方法は、負荷計画と、気象条件の予測情報とに基づいて、冷却水の冷却装置の動力を異ならせた場合の燃料価格を特定することと、前記負荷計画に応じた発電電力の売価と、前記燃料価格とに基づいて、現在の運転を継続した場合の前記発電電力によって得られる収支よりも多くなる収支を少なくとも特定することと、を含む。
【手続補正６】
【補正対象書類名】明細書
【補正対象項目名】００２２
【補正方法】変更
【補正の内容】
【００２２】
本発明の第１６の態様によれば、プログラムは、コンピュータに、負荷計画と、気象条件の予測情報とに基づいて、冷却水の冷却装置の動力を異ならせた場合の燃料価格を特定することと、前記負荷計画に応じた発電電力の売価と、前記燃料価格とに基づいて、現在の運転を継続した場合の前記発電電力によって得られる収支よりも多くなる収支を少なくとも特定することと、を実行させる。